(57)【要約】【課題】従来は、リモコンにより２種類の自走清掃時間間隔をリモコンにて選択していたが、使用者にとっては２００時間が実際何時に訪れるかは計算できても直感的に予測できず面倒であったものであった。使用期間が終わった場合は自動清掃設定を解除しなければならず面倒であった。さらに定期的な自動清掃では突発的な塵埃の増加に対応できないことがあった。また一過性の塵埃増加が正常に戻った時に通常の自動清掃間隔に戻す必要があった。【解決手段】自動清掃の時間間隔を時間差でなく日数差と時刻との両方で設定し、設定した期間内に一度もエアコンが使用されなかった場合は自動的に清掃を省略し無駄な清掃をしない手段。また、予約期間中の累積運転時間が許容時間を超えた場合は予約日を前出しする手段。さらに一過性の汚れの増加が平常レベルに戻ったら自動的に従来の予約日数と時刻に設定を戻す手段を提供する。【選択図】図１ 
2005195267.tif 000002
【特許請求の範囲】
【請求項１】
エアフィルターを周期的かつ自動的に清掃する手段と、前記周期日数を設定する手段と、清掃する時刻を設定する清掃時刻設定手段を備えた空気調和機。
【請求項２】
前回清掃した日時から今回清掃する日時までの期間に空気調和機が運転された累積運転時間を記憶する手段を設け、前記累積運転時間が所定の値以下の場合は清掃を省略する判定手段を設けたことを特徴とする、請求項１に記載の空気調和機。
【請求項３】
累積運転時間が所定の値を超えた場合は最も近い清掃時刻に清掃を行なうように予約日を変更する予約日変更手段を設けたことを特徴とする、請求項１に記載の空気調和機。
【請求項４】
予約日変更が実施された次の清掃日は設定された周期日数が経過した同一時刻に清掃をおこなうように予約日を移動する予約日移動手段を設けたことを特徴とする、請求項１に記載の空気調和機。
【発明の詳細な説明】
【技術分野】
【０００１】
本発明はエアフィルタの自動清掃手段を内蔵した空気調和機の清掃時間設定方法に関するものである。
【背景技術】
【０００２】
従来、第３図に示すように天井内１８に埋設して設置される空気調和機本体１９と、天井面２０に露出しほぼ中央に吸込口２１を形成した化粧パネル２２と、前記化粧パネル２２の前記吸込口２１に設置されるフィルター装置２３とより成り、このフィルター装置２３を、両端に配設された一対の軸２４ａ、２４ｂと、前記軸の片方の軸２４ａに巻回された帯状のフィルター２５と、前記軸のもう片方の軸２４ｂに装着した巻き取り駆動用のラチェット２６と、前記ラチェット２６を操作するひも２７とを備えているものであり、室内空気中のほこりを除去した使用済みのフィルター２８が最後まで巻取られた後に清掃する際フィルター装置２３を形成した化粧パネル２２を取り外し、フィルター２５と化粧パネル２２の清掃作業を容易に行うものがあった（例えば、特許文献１参照）。
【０００３】
また、この清掃を一定時間間隔で自動的に行うものがあり、その時間間隔は数種類に選択できるものがあった（例えば、非特許文献１参照）。
【特許文献１】特開平１０−０１９３６５号公報
【非特許文献１】富士通ゼネラル（株）カタログ
【発明の開示】
【発明が解決しようとする課題】
【０００４】
しかしながら、前記従来の構成では、リモコンにより２種類の自走清掃時間間隔をリモコンにて選択するものなので、例えば２００時間に設定すると２００時間毎後に自動的に清掃するものなので、使用者にとっては２００時間が実際何時訪れるかは計算できても直感的に予測できないものであった。例えば食事中に突然自動清掃が始まるとか、店舗の営業中に清掃が始まるとかの好ましくない状況が発生するという課題を有していた。
【０００５】
また、使用期間が終わった場合は自動清掃設定を解除しなければならず面倒であった。解除しなければ無駄な清掃を行うことになり省エネに反するという課題を有していた。
【０００６】
さらに定期的な自動清掃では突発的な塵埃の増加に対応できないことがあった。
【０００７】
また一過性の塵埃増加が正常に戻った時に通常の自動清掃間隔に戻す必要があった。
【課題を解決するための手段】
【０００８】
本発明は、前記従来の課題を解決するもので、自動清掃の時間間隔を時間差でなく日数差と時刻とで設定することにより、わかりやすい自動清掃の予約設定手段を提供することを目的とする。
【０００９】
また設定した期間内に一度もエアコンが使用されなかった場合は自動的に清掃を省略し無駄な清掃をしない手段を提供することで消費エネルギの節約をおこなうものである。
【００１０】
また、予約期間中の累積運転時間が許容時間を超えた場合は予約日を前出しすることで突発的な汚れの増加に自動的に対応するものである．さらに一過性の汚れの増加が平常レベルに戻ったら自動的に従来の予約日数と時刻に設定を戻すものである。
【発明の効果】
【００１１】
本発明によれば、使用者にわかりやすい自動清掃設定予約を搭載した空気調和機を提供することができる。
【発明を実施するための最良の形態】
【００１２】
第１の発明は、エアフィルターを周期的かつ自動的に清掃する手段と、前記周期日数を設定する手段と、清掃する時刻を設定する清掃時刻設定手段を備えたもので、周期日数と清掃する当日の時刻を個別に設定することにより「７日毎に毎時午前３時」という人間にわかりやすい具体的な感覚で設定でき、店舗営業時間帯など清掃が好ましくない時間を避けて設定できる。
【００１３】
第２の発明は、特に第１の発明において、前回清掃した日時から今回清掃する日時までの期間に空気調和機が運転された累積運転時間を記憶する手段を設け、前記累積運転時間が所定の値以下の場合は清掃を省略する判定手段を設けたもので、空気調和機の運転時間を積算する手段を設け、積算時間がゼロのまま予約日時刻を迎えた場合は自動清掃を省略し、省エネルギーとすることができる。
【００１４】
第３の発明は、特に、第１の発明において、累積運転時間が所定の値を超えた場合は最も近い清掃時刻に清掃を行なうように予約日を変更する予約日変更手段を設けたもので、累積運転時間が所定の値を超えた時には最も近い前記設定時刻に清掃を行なうよう予約日を変更する手段を設けた事により、使用者が想定していた以上のフィルタ目詰まりが突発的に発生した場合でも多量の塵埃が堆積するのを防ぐ効果がある。
【００１５】
第４の発明は、特に、第１の発明において、予約日変更が実施された次の清掃日は設定された周期日数が経過した同一時刻に清掃をおこなうように予約日を移動する予約日移動手段を設けたもので、予約日変更が実施された時、次の清掃日を最初に予約された日数が経過した同一時刻に清掃をおこなうよう予約日を移動することにより不要不急の清掃を防ぐことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機のリモートコントローラとその操作手順を示すものである。
【００１８】
図１において、リモートコントローラ１にて自動清掃の予方を行なう操作は破線で囲んだ操作領域２内のボタンを使用する．なお本発明と直接関係しないボタンや表示については説明を割愛する。
【００１９】
「選択」ボタン３を１回押すと通常の運転タイマー予約モードになり表示部４に「タイマー予約」という表示５が出てエアコンの入り、切りタイマー予約を行なう。
【００２０】
もう一度「選択」ボタン３を押すと表示が「清掃予約」６に変わる。
【００２１】
次に「上下設定▲▼」ボタン７、８を適時操作して自動清掃の周期日数を設定する。
【００２２】
実施例では「７日後」という設定を表示している。
【００２３】
次に「予約」ボタン９を押すと自動清掃間隔の日数が記憶された後に予約時刻を設定す
る画面に変わる。「上下設定▲▼」ボタン７、８を適時操作して予約時刻を設定する。
【００２４】
次に「予約」ボタン９を押すと前記予約された日にちが経過した日の清掃時刻が記憶され予約が完了する。本実施例では「午前２：００」という設定を表示している。
【００２５】
以上のように構成された空気調和機について、その動作および作用を図２のフローチャートを用いて説明する。
【００２６】
まず、ステップ１０で空気調和機に搭載されているコントローラの記憶装置への記憶がなされる。図１で予約された清掃予約日、清掃予約時刻および前回清掃日時が記憶されている。
【００２７】
エアコンが運転されると時間積算ステップ１１により運転時間が積算される。
【００２８】
次に累積運転時間が許容時間内にあるかを判定するステップ１３に進み許容時間内であれば予約日到来判別（ステップ１３）と予約時刻到来（ステップ１４）の判定を行なう。
【００２９】
予約日時刻に達していなければ前記ステップ１１からステップ１４を繰り返す。予約日時刻が到来した時点で累積運転時間を確認し「ゼロ」でなければ自動清掃を行なう（ステップ１５とステップ１６）。
【００３０】
次に前回清掃日時＝今回清掃日時とし前回清掃日時を更新する（ステップ１７）。このとき今回清掃日時は清掃開始日時とする。
【００３１】
以上のように、本実施によれば日数間隔を設定する手段と、清掃する当日の時刻を設定する手段とを個別に設定することにより「７日毎に毎時午前３時」という人間にわかりやすい具体的な生活感覚で設定でき、店舗営業時間帯など清掃が好ましくない時間を避けて設定できる。
【００３２】
また、本実施例ではステップ１５で積算時間が「ゼロ」の場合はエアコンが使用されていないので清掃が不要と判断しステップ１６の「フィルタ自動清掃」を迂回して「前回清掃日時の更新」（ステップ１７）を実行する。従って不要な清掃を行なわず省エネルギとする事ができる。
【００３３】
更に、本実施例では累積運転時間が別途設定された許容運転時間を超えたと判断した場合（ステップ１２）には予約日の到来を待たずに直接ステップ１６の「フィルタ自動清掃」を行なう。このときは最も近い当初設定された時刻に「自動清掃」を行なう。
【００３４】
例えば許容運転累積時間超えた判定した時刻が午後９時の場合で予約時刻が午前３時の場合は翌日の午前３時に「自動清掃」を行なう。「清掃時刻」は当初設定した時刻で行なうため使用者の時間スタイルに沿った「自動清掃」を行なうことができ、使用者が想定していた以上のフィルタ目詰まりが突発的に発生した場合でも多量の塵埃が堆積するのを防ぐ効果がある。
【００３５】
更に、前記予約日変更が実施された時は次の清掃日を最初に予約された日数が経過した同一時刻に清掃をおこなうよう予約日を移動する。すなわち設定した日数間隔は基本的に守ることにより不要不急の清掃を防ぐことができる。
【図面の簡単な説明】
【００３６】
【図１】本発明の実施の形態１における空気調和機のリモートコントローラ図
【図２】本発明の実施の形態１における動作を説明するフローチャート
【図３】従来の空気調和機の横断面図
【符号の説明】
【００３７】
１  リモートコントローラ
３  選択ボタン
４  表示部
９  予約ボタン
【図１】
2005195267.tif 000003
【図２】
2005195267.tif 000004
【図３】
2005195267.tif 000005